(57)【特許請求の範囲】
【請求項１】
ゴミを乾燥させるための乾燥器を備える乾燥手段と、
前記乾燥器に前記ゴミを供給するための供給手段とからなり、
前記供給手段は、
前記ゴミ入れて運搬するためのバケットと、
前記バケットの中の前記ゴミを前記乾燥器の側に排出するために前記バケットを往復運動させるための往復運動手段とからなり、
前記往復運動手段は、
往復運動させられる往復運動体と、
前記往復運動体を前記バケットに係合させるための係合手段とからなり、
前記往復運動は、一定位置の前記バケットを上昇させる上昇運動と、
前記上昇運動の後の前記バケットを正方向に傾斜させる正回転運動と、
前記正回転運動の後の前記バケットを負方向に傾斜させる負回転運動と、
前記負回転運動の後の前記バケットを降下させる降下運動とからなり、
前記係合手段は、前記往復運動体に形成される往復運動体側係合手段と、前記バケットに形成されるバケット側係合手段とから形成され、
前記往復運動体側係合手段は、前記一定位置の前記バケットの上下方向に離隔する２位置で係合する往復運動体側上側係合部位と往復運動体側下側係合部位を備え、
前記往復運動体が上向きの作用力を受ける時に、往復運動体側上側係合部位と往復運動体側下側係合部位との間の離隔距離が変更されて、前記往復運動体側上側係合部位と前記往復運動体側下側係合部位にそれぞれに係合するように、前記往復運動体側上側係合部位と前記往復運動体側下側係合部位との間に離隔距離変更用付勢手段が介設されている
ゴミ処理装置のバケット転倒装置
【請求項２】
請求項１において、
前記ゴミは生ゴミである
ことを特徴とするゴミ処理装置のバケット転倒装置。
【請求項３】
請求項１において、
前記往復運動手段は、
往復回転輪と、
前記往復回転輪に係合する転動体とからなり、
前記往復運動体は前記転動体に固定されている
ことを特徴とするゴミ処理装置のバケット転倒装置。
【請求項４】
請求項３において、
前記往復回転輪はスプロケットであり、前記転動体は無端チェーンである
ことを特徴とするゴミ処理装置のバケット転倒装置。
【請求項５】
請求項４において、
前記往復動体の特定の面は前記スプロケットの仮想外周面の接平面に一致する
ことを特徴とするゴミ処理装置。
【発明の詳細な説明】
【０００１】
【発明が属する技術分野】
本発明は、ゴミ処理装置のバケット転倒装置に関し、更に詳しくは、ホテル、旅館、レストラン等の厨房領域から大量に間断なく発生しバケットに入れられてそこまで運搬される生ゴミを処理するために厨房領域又はその近辺に設置されるゴミ処理装置のバケット転倒装置に関する。
【０００２】
【従来の技術】
ホテル、旅館、レストラン等の厨房領域では、大量の生ゴミが発生する。その大量の生ゴミは、厨房が大規模になれば、間断なく発生する。このような生ゴミを地方自治体又は民間業者のゴミ収集日時まで貯留するためには、広い貯留場所が必要である。このように貯留したために夏場では数時間で発する悪臭は、ホテル、旅館、レストランでは特に嫌われ、衛生管理上からも絶対に回避されることが要求されている。
【０００３】
乾燥機を含む生ゴミ処理機が、このような要求に応じて、ゴミ発生領域内に設備されている。生ゴミ処理場では、焼却炉が用いられ、その焼却炉にトラックで運搬されてきた生ゴミを搬入するクレーン等が用意され、焼却処理までの待ち時間がある。ホテル、旅館、レストラン等の厨房領域には、このようなクレーンはなく、間断なく生じる生ゴミを発生と同時に処理することが要求されている。
【０００４】
発生した生ゴミは、即座にバケットに入れられる。搬送車であるバケットは、生ゴミ処理機の乾燥機に投入される。厨房用の公知の処理機は、乾燥機、気体と粉体を分離するサイクロン、粉体と揮発性・水溶性の気体を水に吸収させる水洗器とから構成されている。このようなシステムは、外食が加速度的に進む昨今、バケットの使いやすさに焦点が当てられた改善が要請されている。
【０００５】
【発明が解決しようとする課題】
本発明の目的は、バケットに対する対応から乾燥器本体が固定されるシステムのゴミ処理装置のバケット転倒装置を提供することにある。
【０００６】
本発明の他の目的は、バケットを傾斜させて用いるシステムのゴミ処理装置のバケット転倒装置を提供することにある。
【０００７】
本発明の更に他の目的は、バケットを傾斜させて用いるシステムにおいて乾燥が均質に行われるゴミ処理装置のバケット転倒装置を提供することにある。
【０００８】
本発明の更に他の目的は、バケットの使い易さを考慮しバケットを無操作で傾斜させるゴミ処理装置のバケット転倒装置を提供することにある。
【０００９】
【課題を解決するための手段】
本発明によるゴミ処理装置のバケット転倒装置は、ゴミを乾燥させるための乾燥器を備える乾燥手段と、前記乾燥器に前記ゴミを供給するための供給手段とからなり、前記供給手段は、前記ゴミ入れて運搬するためのバケットと、前記バケットの中の前記ゴミを前記乾燥器の側に排出するために前記バケットを往復運動させるための往復運動手段とからなり、前記往復運動手段は、往復運動させられる往復運動体と、前記往復運動体を前記バケットに係合させるための係合手段とからなり、前記往復運動は、一定位置の前記バケットを上昇させる上昇運動と、
【００１０】
前記上昇運動の後の前記バケットを正方向に傾斜させる正回転運動と、前記正回転運動の後の前記バケットを負方向に傾斜させる負回転運動と、前記負回転運動の後の前記バケットを降下させる降下運動とからなり、前記係合手段は、前記往復運動体に形成される往復運動体側係合手段と、前記バケットに形成されるバケット側係合手段とから形成され、前記往復運動体側係合手段は、前記一定位置の前記バケットの上下方向に離隔する２位置で係合する往復運動体側上側係合部位と往復運動体側下側係合部位を備え、前記往復運動体が上向きの作用力を受ける時に、往復運動体側上側係合部位と往復運動体側下側係合部位との間の離隔距離が変更されて、前記往復運動体側上側係合部位と前記往復運動体側下側係合部位にそれぞれに係合するように、前記往復運動体側上側係合部位と前記往復運動体側下側係合部位との間に離隔距離変更用付勢手段が介設されている。本発明装置は、ゴミとして生ゴミ特に厨房領域で発生する生ゴミを処理対象とする場合に特に有効である。
【００１１】
往復運動手段は、往復回転輪と、往復回転輪に係合する転動体とからなり、往復運動体は前記転動体に固定されていることが好ましい。往復回転輪はスプロケットであり、前記転動体は無端チェーンであることが更に好ましい。前記往復動体の特定の面はスプロケットの仮想外周面の接平面に一致させる構成は、転倒構造を簡素化する。
【００１２】
【発明の効果】
本発明によるゴミ処理装置のバケット転倒装置は、移動自在なバケットと乾燥器とのインタフェースが合理的に設計され、無休運転が可能である。バケットのマンマシンシステムのインタフェースは、固定された乾燥器本体に対してバケットを傾斜させることと整合している。このインタフェースは、バケットの無操作を可能にする。攪拌翼と熱風噴射により、乾燥は均質に行われる。
【００１３】
ゴミの乾燥器への投入は上方側から落下式に行われ、乾燥器は回転しないので、連続投入が容易である。バケットの上昇傾斜運動により、バケットから直接に受容供給部にゴミを供給することができるので、搬送経路が単純化される。処理は焼却によらないので、連続処理が可能である。連続式のために熱風を用いるが、気流に乗って排出される粉体は水洗される。このような技術の集積により、厨房でのゴミ処理技術が確立する。
【００１４】
【発明の実施の形態】
図１は、本発明によるゴミ処理装置特に生ゴミ処理装置の実施の形態のマンマシンシステムを示している。その生ゴミ処理装置は、供給手段と、乾燥器２と、サイクロン型式の水洗器３と、水タンク４と、受容供給器５と、供給手段とから構成されている。供給手段は、転倒手段１とバケットＢとを備える。その他には、熱風排出通路、水の循環通路などが設けられている。
【００１５】
［供給手段］
供給手段は、乾燥器に生ゴミを供給するための手段であり、バケットＢとバケットＢを転倒させるための転倒手段１とからなる。バケットＢは、転倒手段１に対して後述する係合手段により着脱自在である。バケットＢと転倒手段１の係合・離脱は、無操作である。その無操作性は、衛生管理、厨房作業の機動性の両面で、機械的にすぐれたマンマシンインタフェースを実現する。バケットＢは、図１に示すように、容器本体Ｂ１と、手押し用ハンドルＢ２と、猫車型式の後側２輪のみからなる走行車輪Ｂ３と、接地具Ｂ４とを備えている。
【００１６】
バケットＢは、人が手押し用ハンドルＢ２を握って、容器本体を傾斜させて接地具Ｂ４を床Ｆから浮かし、手押し用ハンドルＢ２を手押しして、いわゆる猫車のように走行する運搬車である。転倒手段１は、図２に示されるように、上下のスプロケット１１，１２と、一方のスプロケット１２を駆動するための電動機（図示せず）と、両スプロケット１１，１２を周回する無端チェーン１３とから構成されている。
【００１７】
バケットＢと転倒手段１との関係は、係合手段である。その係合手段は、バケットＢとバケットＢを支持する支持部材との間に設けられる。図３は、そのような支持部材としてプレート１４示している。図３には、スプロケット１１が現れている。スプロケット１１は、１鉛直面に対して面対称に左右に２体が設けられている。
【００１８】
フレーム１５に、回転軸１６が回転自在に支持されている。スプロケット１１は、回転軸１６に固定されている。無端チェーン１３の要素リンク１７に要素ピン１８が貫通している。要素リンク１７は、軌道面に摺動しその軌道面に対して一定の角度を保持する。
【００１９】
図３は、要素ピン１８がスプロケット１１の周面である波形状の凹凸面を形成する凹溝１１１に嵌合し始めた位置状態を示している。各要素ピン１８（図３には１つしか示されていない）は、スプロケット１１の凹溝１１１に嵌まりスプロケット１１により駆動され円運動する。左右の要素ピン１８は、連結軸１１２により同軸に結合されている。連結軸１１２に左右２体の腕１１３が固定されている。２体の腕１１３の前端面に１枚のプレート１４が固着されている。
【００２０】
図４に示すように、フレーム１５は、左右に２体が設けられている。腕１１３は左右対称に２体１組が設けられ、且つ、上下に２組が設けられている。プレート１４は、４体の腕により４点で無端チェーン１３に吊り下げられて支持されされている。
【００２１】
図２に、特定の１本の要素ピン１８の運動範囲の両端位置を点Ｐと点Ｑで示している。その中間点を点Ｒで示している。線分ＲＱは鉛直線分あり、線分ＰＲは円弧である。特定点の運動は、点Ｑから点Ｒに向かう鉛直方向上昇運動、点Ｒから点Ｐに向かう正方向円運動、点Ｐから点Ｑに向かう負方向円運動、点Ｒから点Ｑに向かう鉛直方向下降運動との４つの運動から形成される往復運動である。
【００２２】
図５は、プレート１４とバケットＢとの係合関係を示している。その係合手段は、往復運動体であるプレート１４に形成される往復運動体側係合手段である往復運動体側上側係合部位１１４Ｕ、及び往復運動体側下側係合部位１１４Ｄと、バケットＢに形成されるバケット側係合手段であるバケット側上側係合部位Ｂ１１Ｕ、及びバケット側下側係合部位Ｂ１１Ｄとから形成されている。往復運動体側係合手段である往復運動側上側係合部位１１４Ｕ、及び往復運動体側下側係合部位１１４Ｄは、一定位置のバケットＢの上下方向に離隔する２位置で係合する往復運動体側上側係合部位１１４Ｕと往復運動体側下側係合部位１１４Ｄを備えている。
【００２３】
バケット側係合手段は、往復運動体側上側係合部位１１４Ｕに係合するバケット側上側係合部位Ｂ１１Ｕと往復運動体側下側係合部位１１４Ｄに係合するバケット側下側係合部位Ｂ１１Ｄとを備えている。バケット側上側係合部位Ｂ１１Ｕは、バケットＢの前端部（転倒手段１の位置から見て後端部）の上縁部で下方に突出する部分として形成されている。
【００２４】
バケット側下側係合部位Ｂ１１Ｄは、バケットＢの前端部の下方寄り部で前方に（転倒手段１の位置から見て後方に）突出する２箇所の部分に両端が支持され水平方向に延びるピン部材として形成されている。
【００２５】
往復運動体側上側係合部位１１４Ｕは、プレート１４の前面側に固定されている。往復運動体側下側係合部位１１４Ｄは、プレート１４に対して可動に設けられている。プレート１４の後面にばね支持部材１１５が固定されている。可動体１１６は、図６に示すように、左右の案内体に案内されて鉛直方向に昇降する（図２に示す点Ｑと点Ｒとの間にある場合）。
【００２６】
往復運動体側下側係合部位１１４Ｄは、可動体１１６に固定され、プレート１４に開けられている窓１１７を通って前方に突出している。往復運動体側下側係合部位１１４Ｄは、窓１１７の下端に当たってそこより下方には降下しない。プレート１４の後記する特定高さ位置では、可動体１１６は、地面に固定されているストッパのストッパ面１１８に当たってそこより下方には降下しない。ばね支持部材１１５と可動体１１６の上端面との間に離隔用付勢手段である離隔ばね１１９が介設されている。ばね支持部材１１５の下端面に案内ピン１２１が固定され鉛直方向に延びている。案内ピン１２１は、可動体１１６の上側部分及び離隔ばね１１９の中心域を貫通している。
【００２７】
［乾燥器２］
乾燥器２は、該乾燥器２の胴体、外壁を形成する乾燥器本体２１を備えている。乾燥器本体２１は、直方体状又は円筒状に形成されている。以下、乾燥器本体２１は上半部分が直方体状であり下半部分が円筒状である場合について述べられる。乾燥器本体２１の天井２２には、生ゴミを取り入れるための取入口２３が開けられている。乾燥器本体２１の中には高さ方向に概ね中央に位置する供給管２４が、乾燥器本体２１に支持されている。
【００２８】
供給管２４は、図７に示すように、概ね水平方向に向く回転軸心線を有している。供給管２４は、軸心線方向に並ぶ複数の熱風供給口２５を有している。供給管２４は、固定された内側管２６と回転する外側管２７とを備えている。外側管２７と内側管２６とは、同一の軸心線を共有している。外側管２７は、供給管２４の回転部分に相当する。外側管２７の一端部は、乾燥器本体２１の外側に配置されている原動機２２１（図１）の出力軸に結合している。
【００２９】
外側管２７は、乾燥器本体２１の両側壁に回転自在に支持されている。内側管２６は、相対的に回転自在に外側管２７に支持されている。内側管２６の内側は、軸心線方向に延びる軸線方向熱風供給通路２２０を形成している。内側管２６の一端部は、乾燥器本体２１の外側で熱風供給源２８に接続されている。熱風供給源２８は、慣用手段であり、ガス燃焼器、送風機などから構成されている。攪拌翼２９は、外側管２７に固定され放射方向に延びている。軸線方向の同じ位置で、３体の攪拌翼が１２０度の位相差で配置されている。
【００３０】
図７は、供給管２４と攪拌翼２９との関係を示している。外側管２７と内側管２６との間には、スペーサとしての環体２２２が介設されている。環体２２２は、外側管２７に対してキー２２３により軸方向に移動しないように固定されている。攪拌翼２９は、固定具２２４により外側管２７の外周面に接合して固定されている。
【００３１】
攪拌翼２９は、管構造に形成されその内部は、熱風が通る放射方向熱風供給通路２２５を形成している。放射方向熱風供給通路２２５を中心方向に延長する延長領域が外側管２７と環体２２２と内側管２６にそれぞれに貫通する部位に、第１通路口２２６、第２通路口２２７、第３通路口２２８がそれぞれに開けられている。
【００３２】
第１通路口２２６と第２通路口２２７と第３通路口２２８が形成する接続口である熱風供給口２５は、放射方向熱風供給通路２２５と軸線方向熱風供給通路２２０を接続している。このような熱風供給口２５は、同じ軸心線方向位置で、複数箇所に設けることができるが、図示される実施の形態では、最下端位置に１箇所だけ設けられている。
【００３３】
図８は、一対３体の攪拌翼２９のそれぞれの形態を示している。攪拌翼２９は、図９に示すように、攪拌翼本体２２９と攪拌羽根２３１と熱風放出口２３４を形成するノズル形成部材２３３とから構成されている。攪拌翼本体２２９は、既述の通り、円筒体であり内部に放射方向熱風供給通路２２５を形成している。攪拌翼本体２２９の放射端は、閉じられているが、放射端部の円筒部分に小さい断面積の熱風放出口２３４が開けられている。
【００３４】
ノズル形成部材２３３は、熱風放出口２３４を囲むように互いに直交する面上に配置され、放射方向に延びる２枚の板材である。攪拌羽根２３１が攪拌作用を主に有するが、攪拌翼本体２２９とノズル形成部材２３３も攪拌作用を従に有する。攪拌羽根２３１の１面２３６は、回転軌跡線である円２３５に概ね直交している。
【００３５】
熱風放出口２３４は、攪拌翼本体２２９の中心線に対して攪拌羽根２３１と反対側に配置されている。ノズル形成部材２３３を構成する２枚の板材は、攪拌羽根２３１の１面２３６に対してそれぞれに４５度ほど傾斜しているので、ノズル形成部材２３３が放出する気流は、供給管２４の軸心線に直交する鉛直面に対して概ね４５度傾斜した方向に向く。
【００３６】
図１０に示すように、ノズル形成部材２３３の放射端は閉じられている。攪拌翼本体２２９とノズル形成部材２３３は、攪拌羽根２３１の放射端２３７まで延長することができる。ノズル形成部材２３３の２枚の板材及びその角度は、熱風放出口２３４を粉体から防御しその目詰まりを防止する。このような攪拌翼２９の一対は、隣り合う１対の攪拌翼に対して、図１に示すように、更に位相がずれている。
【００３７】
［サイクロン型式の水洗器３］
水洗器３は、排出通路７１を介して乾燥器２に接続されている。排出通路７１の入口側である吸引口２３８は、乾燥器本体２１の天井２２に配置されている。排出通路７１には、吸引送風機７２が介設されている。水洗器３は、サイクロンであり、円筒状本体３１を備えている。排出通路７１は、円筒状本体３１の円筒壁に接続されている。
【００３８】
吸引送風機７２は、乾燥器本体２１の中の気体を吸引して円筒状本体３１の中に勢いよく導入する。円筒状本体３１に導入される気体は渦流を形成する。その渦流の中心域に、水放出器３２が設置されている。水放出器３２の中心部に気体放出管３３が内装されている。気体放出管３３の上下端は開放されている。
【００３９】
渦流は、下方にも向き螺旋状に回転して渦流の中心域の流体は気体放出管３３の下端開放口から気体放出管３３に流れ込み、その上端開放口から大気中に放出される。水放出器３２は、その外周面上で開口する複数の水放出ノズルを備えている。その水放出ノズルから射出される水流は、概ね水平面上で流れる。円筒状本体３１から射出される水は、円筒状本体３１の下方絞り円錐状壁３４を流下する。
【００４０】
乾燥器２の中に存在する物質は、乾燥して熱風流に巻き上げられる有機物粉末、高温中で生ゴミから発生する揮発性有機物質気体、乾燥器本体２１に導入される熱風である酸素ガス、炭酸ガス、水蒸気、その他の空気成分である。無害である空気成分、炭酸ガスは、円筒状本体３１の中の霧状水の間を通り抜けて、大気中に放出される。有害有機気体、水蒸気、粉体などは、水に溶解し又は粘着して下記水タンク４に搬出される。
【００４１】
［水タンク４］
水タンク４は、円筒状本体３１の下端開放口に接続されている。水タンク４と水放出器３２との間が接続され、水放出器３２又は水洗器３と水タンク４は、水の循環通路の中に介設されている。その循環通路の中に循環ポンプ３５が介設されている。循環する水タンク４の中の水は、円筒状本体３１の中で有害有機気体、水蒸気、粉体などを繰り返して捕獲するので、水タンク４中の有害有機気体、水蒸気、粉体などはそれらの濃度を高める。飽和濃度になる前に、水タンク４中の水は、排液管４６により下水道に排出される。
【００４２】
［受容供給器５］
受容供給器５は、引込誘導部５１と粉砕部５２と送出部５３とから形成されている。引込誘導部５１は、傾斜振動式動床（図示せず）などで形成されている。傾斜振動式動床の上面に投入された生ゴミを緩速度で粉砕部５２に誘導する。粉砕部５２は、回転式カッタ（図示せず）等を含み、生ゴミを細かく破砕する。破砕された生ゴミは、送出部５３に繰り出され、取入口２３からから重力で落下して乾燥器本体２１の中に投下される。
【００４３】
［動作の説明］
図１１は、特定点が図２の点Ｑにあり、無端チェーン１３が始動位置にあって、プレート１４が最下端位置にある始動前の停止状態を示している。この停止状態では、ストッパ１２２に当たって可動体１１６は、下方限界位置で停止している。プレート１４の停止位置は、無端チェーン１３の停止位置で定まり可動体１１６はストッパ１２２の位置で定まるので、往復運動体側上側係合部位１１４Ｕの位置と往復運動体側下側係合部位１１４Ｄの位置が定まり、従って、往復運動体側上側係合部位１１４Ｕと往復運動体側下側係合部位１１４Ｄとの間の離隔距離もある設計定数として定まっている。
【００４４】
バケットＢは、図１１に示すように、厨房の調理員によりプレート１４の前の定位置に誘導されてくる。この定位置では、バケット側上側係合部位Ｂ１１Ｕは往復運動体側上側係合部位１１４Ｕより完全に上方にあり互いに離脱して係合していない。同時に、バケット側下側係合部位Ｂ１１Ｄは往復運動体側上側係合部位１１４Ｕより完全に下方にあり互いに離脱して係合していない。
【００４５】
無端チェーン１３を距離Ｄだけ上昇させると、図１２に示すように、プレート１４も距離Ｄだけ上昇して、往復運動体側上側係合部位１１４Ｕはバケット側上側係合部位Ｂ１１Ｕに完全に係合する。しかし、可動体１１６は、プレート１４に対して離隔ばね１１９により下方に押されストッパ１２２に当接していてその位置は不変であるから、往復運動体側下側係合部位１１４Ｄの位置も不変更であり、往復運動体側下側係合部位１１４Ｄとバケット側下側係合部位Ｂ１１Ｄの相対的距離も不変である。
【００４６】
更に、無端チェーン１３を距離Ｄだけ上昇させると、プレート１４も距離Ｄだけ上昇して、往復運動体側上側係合部位１１４Ｕはバケット側上側係合部位Ｂ１１Ｕと同体に距離Ｄだけ上昇してその係合関係を変えない。バケット側下側係合部位Ｂ１１Ｄも距離Ｄだけ上昇するが、往復運動体側下側係合部位１１４Ｄは離隔ばね１１９により更に下方に押され仮にストッパ１２２により制止されていても、往復運動体側下側係合部位１１４Ｄとバケット側下側係合部位Ｂ１１Ｄの相対的距離は縮まって、バケット側下側係合部位Ｂ１１Ｄが往復運動体側下側係合部位１１４Ｄに対して距離Ｄだけ上昇して、バケット側下側係合部位Ｂ１１Ｄも往復運動体側下側係合部位１１４Ｄに完全に係合する。
【００４７】
このように、無端チェーン１３が距離２Ｄだけ上昇すると、往復運動体側上側係合部位１１４Ｕと往復運動体側下側係合部位１１４Ｄの離隔距離は２Ｄだけ増加して、バケット側上側係合部位Ｂ１１Ｕとバケット側下側係合部位Ｂ１１Ｄの離隔距離に等しいか概ね一致する。この後に更に無端チェーン１３が上昇し続ける間、往復運動体側上側係合部位１１４Ｕと往復運動体側下側係合部位１１４Ｄの離隔距離は一定値に増大したままである。バケットＢとプレート１４は、上下位置で係合しているから、プレート１４とバケットＢの相対的姿勢関係は不変である。
【００４８】
特定点が図２の点Ｒを越えると、無端チェーン１３の搬送面上に位置して搬送方向に異なる２位置の腕１１３を結ぶ直線は傾斜し始める。この直線の傾斜角度は、円弧ＰＲ上の点でその円に接する接線の傾斜角度に概ね一致する。この傾斜角度は、プレート１４の傾斜角度にも概ね一致する。図２に示すように、特定点が点Ｐに進むと、バケットＢは転倒して傾斜し、始動前の位置のバケットＢの上端開放面が下側になる。このように転倒したバケットＢは、プレート１４から落下することはない。バケットＢは、そのバケット側下側係合部位Ｂ１１Ｄが往復運動体側下側係合部位１１４Ｄに係合しているから、プレートから落下することはない。
【００４９】
図１に示すように、バケットＢの中の生ゴミは、受容供給器５の引込誘導部５１に投入され、粉砕部５２で粉砕され送出部５３から乾燥器２の乾燥器本体２１にその天井域から投入される。攪拌翼２９の攪拌羽根２３１により生ゴミは攪拌される。熱風供給源２８から供給される内側管２６に導入される熱風は、図７に示す第１通路口２２６、第２通路口２２７、第３通路口２２８を介して放射方向熱風供給通路２２５に放出される。
【００５０】
図８，９に示す熱風放出口２３４から乾燥室に放出される。第１通路口２２６は、図１４に示すように、内側管２６の最下端位置に１箇所だけ設けられているので、１体の攪拌翼２９は、１周する間に１回だけ熱風を乾燥室内に放出する。攪拌翼２９は、同一軸線方向位置で３体が設けられているので、供給管２４が１周する間に同じ位置で３回の熱風の噴射が行われる。
【００５１】
図１５に示す供給管２４の回転位置では、熱風の噴射は行われない。図１に示すように、軸方向位置が異なる複数の攪拌翼２９は互いに位相が異なっており、軸方向に異なる熱風噴射位置は、交番的に移動する。熱風は鉛直面に対して斜め向き上方に噴射され、乾燥器本体２１の中で渦流となる。
【００５２】
乾燥度が進んだ粉体ゴミは、熱風に煽られてその一部は吸引送風機７２により吸引され、吸引口２３８から水洗器３に向かうが、水洗器３の水洗作用を受けて水タンク４に貯留される。酸素、窒素、炭酸ガス、水蒸気などの無害ガスは、水放出器３２の中心孔を通って大気中に放出される。
【００５３】
生ゴミの乾燥器への投入は上方側から落下式に行われ、乾燥器は回転しないので、連続投入が容易である。バケットの上昇傾斜運動により、バケットから直接に受容供給部に生ゴミを供給することができるので、搬送経路が単純化される。処理は焼却によらないので、連続処理が可能である。連続式のために熱風を用いるが、気流に乗って排出される粉体は水洗される。このような技術の集積により、厨房でのゴミ処理技術が確立する。
【００５４】
図１６は、プレート１４とバケットＢとの係合関係の他の実施の形態を示している。図１６の係合手段は、上下係合部材の離隔距離が自然状態では伸びる図５の形態と異なり、上下の係合部材の離隔間隔がその自然状態で縮退する点で異なっている。往復運動体であるプレート１４に形成される往復運動体側係合手段は、往復運動体側上側係合部位１１４’Ｕ、及び往復運動体側下側係合部位１１４’Ｄであり、バケットＢに形成されるバケット側係合手段は、バケット側上側係合部位Ｂ１１’Ｕ、及びバケット側下側係合部位Ｂ１１’Ｄとから形成されている。すなわち往復運動体側係合手段Ｄは、一定位置のバケットＢの上下方向に離隔する２位置で係合する往復運動体側上側係合部位１１４’Ｕと往復運動体側下側係合部位１１４’Ｄを備えている。
【００５５】
また、バケット側係合手段は、往復運動体側上側係合部位１１４’Ｕに係合するバケット側上側係合部位Ｂ１１’Ｕと往復運動体側下側係合部位１１４’Ｄに係合するバケット側下側係合部位Ｂ１１’Ｄとを備えている。バケット側上側係合部位Ｂ１１’Ｕは、バケットＢの前端部の上縁部で上方に突出する部分として形成されている。バケット側下側係合部位Ｂ１１’Ｄは、バケットＢの前端部の下方寄り部で前方に突出する部材として形成されている。
【００５６】
往復運動体側下側係合部位１１４’Ｄは、プレート１４の下方部の前面側に固定されている。往復運動体側上側係合部位１１４’ＤＵ、プレート１４に対して可動に設けられている。プレート１４の後面にばね支持部材１１５’が固定されている。可動体１１６’は、左右の案内体１１７’（図示せず）に案内されて鉛直方向に昇降する。
【００５７】
往復運動体側上側係合部位１１４’Ｕは、可動体１１６’に固定され、プレート１４に開けられている案内体１１７’を通って前方に突出している。往復運動体側上側係合部位１１４’Ｕは、窓１１７’の下端に当たってそこより下方には降下しない。プレート１４の後記する特定高さ位置では、可動体１１６’は、地面に固定されているストッパのストッパ面１１８’に当たってそこより下方には降下しない。ばね支持部材１１５’と可動体１１６’の上端面との間に縮退用付勢手段である縮退ばね１１９’が介設されている。ばね支持部材１１５’の下端面に案内ピン１２１’が固定され鉛直方向に延びている。案内ピン１２１’は、可動体１１６’の上側部分及び縮退ばね１１９’の中心域を貫通している。
【００５８】
この実施の形態によれば、プレート１４が上昇すると、可動体１１６’がプレートに対して相対的に下降して、往復運動体側上側係合部位１１４’Ｕと往復運動体側下側係合部位１１４’Ｄとが相対的に縮退して、それぞれに、バケット側上側係合部位Ｂ１１’Ｕとバケット側下側係合部位Ｂ１１’Ｄに係合する。なお、このような係合手段は、反発ばねを用いずに引張ばねを用いても実現しうる。
【図面の簡単な説明】
【図１】図１は、本発明によるゴミ処理装置の実施の形態を示す断面図である。
【図２】図２は、転倒手段の実施の形態を示す正面図である。
【図３】図３は、転倒手段の実施の形態を示す平面図である。
【図４】図４は、転倒手段の実施の形態を示す側面図である。
【図５】図５は、係合手段の実施の形態を示す正面図である。
【図６】図６は、係合手段の実施の形態を示す側面図である。
【図７】図７は、供給管を示す断面図である。
【図８】図８は、乾燥器の側面断面図である。
【図９】図９は、図３の一部の断面図である。
【図１０】図１０は、攪拌翼を示す斜軸投影図である。
【図１１】図１１は、係合過程を示す正面図である。
【図１２】図１２は、他の係合過程を示す正面図である。
【図１３】図１３は、更に他の係合過程を示す正面図である。
【図１４】図１４は、供給管の断面図である。
【図１５】図１５は、供給管の他の位置を示す断面図である。
【図１６】図１６は、係合手段の他の実施の形態を示す正面断面図である。
【符号の説明】
１…転倒手段
２…乾燥器
３…水洗器
１３…無端チェーン
１４…プレート
１７…要素リンク
１８…要素ピン
１１１…転輪
１１４Ｕ…往復運動体側上側係合部位
１１４Ｄ…往復運動体側下側係合部位
１１６，１１６’…可動体
１１８…ストッパ面
１１９…離隔ばね（離隔用付勢手段）
２…乾燥器
２１…乾燥器本体
２４…供給管
２５…熱風供給口
２６…内側管
２７…外側管
２８…熱風供給源
２９…攪拌翼
２２５…放射方向熱風供給通路
２２９…攪拌翼本体
２３１…攪拌羽根
２３２…熱風放出口
２３３…ノズル形成部材
２３４…熱風放出口
３…水洗器
３２…水放出器
４…水タンク
５…受容供給器
５２…粉砕部
Ｂ…バケット
Ｂ１１Ｕ…バケット側上側係合部位
Ｂ１１Ｄ…バケット側下側係合部位
７１…排出通路
７２…吸引送風機
【図１】
0003685441.tif 000002
【図２】
0003685441.tif 000003
【図３】
0003685441.tif 000004
【図４】
0003685441.tif 000005
【図５】
0003685441.tif 000006
【図６】
0003685441.tif 000007
【図７】
0003685441.tif 000008
【図８】
0003685441.tif 000009
【図９】
0003685441.tif 000010
【図１０】
0003685441.tif 000011
【図１１】
0003685441.tif 000012
【図１２】
0003685441.tif 000013
【図１３】
0003685441.tif 000014
【図１４】
0003685441.tif 000015
【図１５】
0003685441.tif 000016
【図１６】
0003685441.tif 000017